(57)【要約】      （修正有）【課題】施工性がよく、梁の損傷を防ぐことのできる木質の柱と木質の梁との接合構造及びその構築方法を提供する。【解決手段】接合構造１は、木質の第１柱部材６と、第１柱部材６の上方に配置された木質の第２柱部材と、下端側及び上端側がそれぞれ第１柱部６材及び第２柱部材に固定された鋼棒等の長尺材１５と、木質の梁部材８と、第１柱部材６及び第２柱部材の間に配置され、梁部材８が接合する接合体４とを備える。梁部材８の端部は、接合体４の下支持部２０によって下方から支持されるとともに、接合体４に固定された上支持部材５によって上方から支持されるため、地震時に割れが生じない。また、長尺材１５の下端部の第１柱部材６への接着作業は工場で行われるため、現場での接着作業は、長尺材１５の上端部の第２柱部材への接着作業のみとなる。【選択図】図２
2020183694.tif 000002
【特許請求の範囲】
【請求項１】
木質の柱と木質の梁との接合構造であって、
木質の第１柱部材と、
前記第１柱部材の上方に配置された木質の第２柱部材と、
下端側が前記第１柱部材に固定され、上端側が前記第２柱部材に固定されて前記第１柱部材及び前記第２柱部材を連結する連結部と、
木質の梁部材と、
前記第１柱部材及び前記第２柱部材の間に配置され、上下方向に延在して前記連結部を挿通させる貫通孔、及び側方に突出して前記梁部材の端部を下方から支持する下支持部を含む接合体と、
前記接合体及び／又は前記第２柱部材に固定されて、前記梁部材の前記端部を上方から支持する上支持部材と
を備えることを特徴とする接合構造。
【請求項２】
前記接合体は、コンクリート造又は鋼製であり、
前記接合体の側面及び前記梁部材の端面の間に圧力が生じるように前記梁部材にプレストレスを与える緊張材を更に備えることを特徴とする請求項１に記載の接合構造。
【請求項３】
前記接合体は、プレキャストコンクリート部材であり、前記貫通孔を有して側面から前記下支持部を突出させる本体部と、前記梁部材を幅方向への移動を規制するべく、前記本体部の前記側面から突出して前記梁部材の幅方向に互いに対向する１対の側部支持部とを含むことを特徴とする請求項１又は２に記載の接合構造。
【請求項４】
前記上支持部材は、前記梁部材の幅方向に延在する鋼材又はプレキャストコンクリート部材を含み、前記１対の側部支持部の上方に配置されて前記接合体に固定されたことを特徴とする請求項３に記載の接合構造。
【請求項５】
前記接合体は、
前記第１柱部材の上端に載置され、前記下支持部を含む第１鋼板と、
上下に開口して、下端において前記第１鋼板の上面に固定される鋼製の筒状部材と、
下面において前記筒状部材の上端に固定されて、上面に前記第２柱部材が載置される第２鋼板とを含み、
前記第１鋼板及び前記第２鋼板は、それぞれ、前記筒状部材の側壁よりも内側の、互いに上下に整合する位置に配置された前記貫通孔を含むことを特徴とする請求項１又は２に記載の接合構造。
【請求項６】
前記接合体は、前記梁部材の幅方向に直交するように延在し、前記第１鋼板の上面及び／又は前記筒状部材の外側面に固定されて、前記梁部材の前記端部に係合する第３鋼板を更に含むことを特徴とする請求項５に記載の接合構造。
【請求項７】
前記接合体は、前記第１鋼板の下面及び前記第２鋼板の上面に固定された鋼製のプレート枠組を更に含み、
前記第１鋼板の下面に固定された前記プレート枠組は、前記第１柱部材の上端部を嵌合するように固定し、
前記第２鋼板の上面に固定された前記プレート枠組は前記第２鋼板の側縁に沿って配置されて前記第２柱部材の下端部を受容し、
前記上支持部材は、前記梁部材の幅方向に延在する鋼材又はプレキャストコンクリート部材を含み、締結具によって前記第２鋼板の上面に固定された前記プレート枠組に締結されたことを特徴とする請求項５又は６に記載の接合構造。
【請求項８】
前記連結部は、下端側が前記第１柱部材に固定され、上端側が前記第２柱部材に固定された長尺材を含み、又は、下端側が前記第１柱部材に固定された第１長尺材と、上端側が前記第２柱部材に固定されて下端側が前記第１長尺材の上端側に継がれた第２長尺材とを含むことを特徴とする請求項１〜７の何れか一項に記載の接合構造。
【請求項９】
木質の柱と木質の梁との接合構造の構築方法であって、
上下方向に延在する貫通孔と、側方に突出する下支持部とを含む接合体を作成するステップと、
木質の第１柱部材の上面から上方に延出するように、長尺材を前記第１柱部材に固定するステップと、
前記長尺材が固定された前記第１柱部材を、前記柱を構築するべき位置に配置するステップと、
前記接合体を、前記長尺材が前記貫通孔に挿通されるように、前記第１柱部材の前記上面に載置するステップと、
前記下支持部の上面に木質の梁部材の端部を載置するステップと、
前記梁部材の前記端部の上面を支持するように上支持部材を前記接合体に固定するステップと、
下面に有底孔を含む木質の第２柱部材を、前記長尺材の上端側が前記有底孔に挿入されるように上方から下方に向かって移動させて前記接合体に載置するステップと、
前記有底孔に接着剤を注入するステップと
を備えることを特徴とする構築方法。
【請求項１０】
木質の柱と木質の梁との接合構造の構築方法であって、
上下方向に延在する貫通孔と、側方に突出する下支持部とを含む接合体を作成するステップと、
木質の第１柱部材の上面から上方に延出するように、第１長尺材を前記第１柱部材に固定し、木質の第２柱部材の下面から下方に延出するように、第２長尺材を前記第２柱部材に固定するステップと、
前記第１長尺材が固定された前記第１柱部材を、柱を構築するべき位置に配置するステップと、
前記接合体を、前記第１長尺材の上端側が前記貫通孔に挿通されるように、前記第１柱部材の前記上面に載置するステップと、
前記下支持部の上面に木質の梁部材の端部を載置するステップと、
前記梁部材の前記端部の上面を支持するように上支持部材を前記接合体に固定するステップと、
前記第２長尺材の下端側が前記貫通孔に挿通されるように、前記第２柱部材を上方から下方に向かって移動させて前記接合体に載置するステップと、
前記第１長尺材の前記上端側と前記第２長尺材の前記下端側との間に継手を形成するステップと
を備えることを特徴とする構築方法。
【発明の詳細な説明】
【技術分野】
【０００１】
本開示は、木質の柱と木質の梁との接合構造及びその構築方法に関する。
【背景技術】
【０００２】
従来、木質の柱と木質の梁との接合構造として様々な構造が提案されてきた。例えば、特許文献１には、集成材梁と集成材柱との剛接合構造が記載されている。特許文献１に記載の接合構造では、接合部に設けられた箱型断面形状の継手金物に、上下の柱のほぞが挿入されることにより上下の柱が接合される。また、梁の端面に設けられた溝に配置された受け金物に、箱型断面形状の継手金物から突出する定着金物が挿入され、溝にグラウトが充填されることにより、梁が柱に接合される。
【０００３】
また、特許文献２には、木造の柱梁の接合部にプレストレスを導入することにより、接合部の回転剛性と耐力を増大させることが記載されている。柱や梁に使用される集成材や単板積層材等の木質材料は、直交異方性、すなわち、繊維に平行な方向の圧縮力には強いが繊維に直交する方向の圧縮力には弱いという性質を有する。そこで、特許文献２に記載の構造では柱に横方向に延在する鉄筋を挿入することにより補強し、プレストレスを導入している。
【０００４】
また、特許文献３には、鉄骨からなる仕口部材が、突出金物を介して木質梁に接合され、鋼棒又はボルトによって木質柱に接合されることが記載されている。
【先行技術文献】
【特許文献】
【０００５】
【特許文献１】特開平６−１７３３４３号公報
【特許文献２】特開２００９−１９７４１６号公報
【特許文献３】特開２０１５−２１８４６３号公報
【発明の概要】
【発明が解決しようとする課題】
【０００６】
特許文献１に記載の接合構造は、木質柱には直交異方性があるため、木質柱の鉄部材による補強量が多く、加工手間及びコストが増加した。また、曲げを受けた際、梁の接合部に接する端部において、圧縮側ではつぶれが生じ、引張側では早期に離間が生じ、剛性が低くなる。特許文献２に記載の接合構造は、木質の柱梁の接合部を強化している。しかし、梁端部の角座金の部分にしか圧力が入らないため、梁に十分なプレストレスを与えることができなかった。また、鉄筋による柱の補強は、手間がかかるとともに、木材柱に欠損が生じ、接合部の損傷が早期に生じるおそれがあった。特許文献３に記載の接合構造は、梁を取り付けるための金物が仕口部材から突出しており、加工及び施工の手間がかかり、また、曲げを受けた際、梁の接合部に接する端部において、圧縮側ではつぶれが生じ、引張側では早期に離間が生じ、剛性が低くなり、大地震後の残留変形が大きく、更に、上下柱を仕口部材に取り付けるため、各々現場での接着剤注入作業が必要であった。
【０００７】
また、木質梁には、プレストレスによる圧着接合のみの接合では、地震時に、梁の端部が割れ、上下の何れかに梁が移動するという問題があった（図４（Ａ）参照）。
【０００８】
このような問題に鑑み、本発明は、施工性がよく、梁の損傷を防ぐことのできる木質の柱と木質の梁との接合構造及びその構築方法を提供することを目的とする。また、本発明の少なくともいくつかの実施形態では、梁に大きなプレストレスを与えることができる、モーメント抵抗接合の接合構造を提供することを目的とする。
【課題を解決するための手段】
【０００９】
本発明の少なくともいくつかの実施形態は、木質の柱（２）と木質の梁（３）との接合構造（１，３１，５１）であって、木質の第１柱部材（６）と、前記第１柱部材の上方に配置された木質の第２柱部材（７）と、下端側が前記第１柱部材に固定され、上端側が前記第２柱部材に固定されて前記第１柱部材及び前記第２柱部材を連結する連結部（１５，５８）と、木質の梁部材（８）と、前記第１柱部材及び前記第２柱部材の間に配置され、上下方向に延在して前記連結部を挿通させる貫通孔（１４，３９，５４）、及び側方に突出して前記梁部材の端部を下方から支持する下支持部（２０，３８）を含む接合体（４，３２）と、前記接合体及び／又は前記第２柱部材に固定されて、前記梁部材の前記端部を上方から支持する上支持部材（５）と、を備えることを特徴とする。
【００１０】
この構成によれば、梁部材の端部が下支持部及び上支持部材によって上下から支持されるため、地震時に梁部材の端部が割れて上下に移動することが防止できる。
【００１１】
本発明の少なくともいくつかの実施形態は、上記構成において、前記接合体は、コンクリート造又は鋼製であり、前記接合体の側面及び前記梁部材の端面の間に圧力が生じるように前記梁部材にプレストレスを与える緊張材を更に備えることを特徴とする。
【００１２】
この構成によれば、接合体が、直交異方性を有する木質材料ではなく、コンクリート造又は鋼製であるため、梁部材に比較的大きなプレストレスを与えても接合体は破壊しない。また、梁部材に比較的大きなプレストレスを与えることにより、梁部材と接合体との互いの接合をモーメント抵抗接合とすることができ、ラーメン架構としての剛性及び耐力を増大させ、架構全体の剛性を増大させることができ、また、梁部材の端部の柔らかい層は、接合体から圧力を受けてつぶれるため、より確実な剛接合とすることができる。
【００１３】
本発明の少なくともいくつかの実施形態は、上記構成の何れかにおいて、前記接合体（４）は、プレキャストコンクリート部材であり、前記貫通孔（１４，５４）を有して側面から前記下支持部（２０）を突出させる本体部（１２）と、前記梁部材を幅方向への移動を規制するべく、前記本体部の前記側面から突出して前記梁部材の幅方向に互いに対向する１対の側部支持部（２１）とを含むことを特徴とする。
【００１４】
この構成によれば、接合体において下支持部の上方が開放されているため、梁部材を上方から下方に移動させて所定の位置に配置できる。このため、梁部材をその延在方向に移動させて所定の位置に配置する場合に比べて、梁部材と接合体との構築順序の制約が少ない。
【００１５】
本発明の少なくともいくつかの実施形態は、上記構成において、前記上支持部材は、前記梁部材の幅方向に延在する鋼材又はプレキャストコンクリート部材を含み、前記１対の側部支持部の上方に配置されて前記接合体に固定されたことを特徴とする。
【００１６】
この構成によれば、１対の側部支持部により、梁部材の端部の延在方向に直交する水平方向への移動を規制でき、また、簡易な構成で上支持部材を構成できる。
【００１７】
本発明の少なくともいくつかの実施形態は、上記の第１又は第２の構成において、前記接合体（３２）は、前記第１柱部材の上端に載置され、前記下支持部を含む第１鋼板（３３）と、上下に開口して、下端において前記第１鋼板の上面に固定される鋼製の筒状部材（３４）と、下面において前記筒状部材の上端に固定されて、上面に前記第２柱部材が載置される第２鋼板（３５）とを含み、前記第１鋼板及び前記第２鋼板は、それぞれ、前記筒状部材の側壁よりも内側の、互いに上下に整合する位置に配置された前記貫通孔（３９）を含むことを特徴とする。
【００１８】
この構成によれば、接合体において下支持部の上方が開放されているため、梁部材を上方から下方に移動させて所定の位置に配置できる。このため、梁部材をその延在方向に移動させて所定の位置に配置する場合に比べて、梁部材と接合体との構築順序の制約が少ない。
【００１９】
本発明の少なくともいくつかの実施形態は、上記構成において、前記接合体は、前記梁部材の幅方向に直交するように延在し、前記第１鋼板の上面及び／又は前記筒状部材の外側面に固定されて、前記梁部材の前記端部に係合する第３鋼板（３７）を更に含むことを特徴とする。
【００２０】
この構成によれば、第３鋼板によって、梁部材の端部の延在方向に直交する水平方向への移動を規制できる。
【００２１】
本発明の少なくともいくつかの実施形態は、上記の鋼製の接合体を有する構成の何れかにおいて、前記接合体は、前記第１鋼板の下面及び前記第２鋼板の上面に固定された鋼製のプレート枠組（３６）を更に含み、前記第１鋼板の下面に固定された前記プレート枠組は、前記第１柱部材の上端部を嵌合するように固定し、前記第２鋼板の上面に固定された前記プレート枠組は前記第２鋼板の側縁に沿って配置されて前記第２柱部材の下端部を受容し、前記上支持部材は、前記梁部材の幅方向に延在する鋼材又はプレキャストコンクリート部材を含み、締結具（２２）によって前記第２鋼板の上面に固定された前記プレート枠組に締結されたことを特徴とする。
【００２２】
この構成によれば、プレート枠組によって、第１柱部材の上端部及び第２柱部材の下端部の水平方向の応力が伝達されるとともに、上支持部材の取り付けが容易になる。
【００２３】
本発明の少なくともいくつかの実施形態は、上記構成の何れかにおいて、前記連結部は、下端側が前記第１柱部材に固定され、上端側が前記第２柱部材に固定された長尺材（１５）を含み、又は、下端側が前記第１柱部材に固定された第１長尺材（５２）と、上端側が前記第２柱部材に固定されて下端側が前記第１長尺材の上端側に継がれた第２長尺材（５３）とを含むことを特徴とする。
【００２４】
この構成によれば、簡易な構成で、第１柱部材と第２柱部材の間でせん断力及び曲げモーメントを伝達することができる。
【００２５】
本発明の少なくともいくつかの実施形態は、木質の柱（２）と木質の梁（３）との接合構造（１，３１）の構築方法であって、上下方向に延在する貫通孔（１４，３９）と、側方に突出する下支持部（１３，３８）とを含む接合体（４，３２）を作成するステップと、木質の第１柱部材（６）の上面から上方に延出するように、長尺材（１５）を前記第１柱部材に固定するステップと、前記長尺材が固定された前記第１柱部材を、前記柱を構築するべき位置に配置するステップと、前記接合体を、前記長尺材が前記貫通孔に挿通されるように、前記第１柱部材の前記上面に載置するステップと、前記下支持部の上面に木質の梁部材（８）の端部を載置するステップと、前記梁部材の前記端部の上面を支持するように上支持部材（５）を前記接合体に固定するステップと、下面に有底孔（１８）を含む木質の第２柱部材（７）を、前記長尺材の上端側が前記有底孔に挿入されるように上方から下方に向かって移動させて前記接合体に載置するステップと、前記有底孔に接着剤を注入するステップとを備えることを特徴とする。
【００２６】
この構成によれば、長尺材は、下端側が第１柱部材に固定された状態で、柱を構築するべき箇所に配置されるため、柱を構築するべき箇所における長尺材の柱への接着作業は、第２柱部材に対するもののみとなるため、工期を短縮できる。また、梁部材の所定の位置への配置後に、上支持部材が接合体に取り付けられるため、梁部材は、少なくとも上方から下方に向けて移動させることにより所定の位置に配置できる。そのため、梁部材をその延在方向に沿って移動させて所定の位置に配置する場合に比べて、梁部材と接合体の配置の順序の制約が少ない。
【００２７】
本発明の少なくともいくつかの実施形態は、木質の柱（２）と木質の梁（３）との接合構造（５１）の構築方法であって、上下方向に延在する貫通孔（５４）と、側方に突出する下支持部（１３）とを含む接合体（４）を作成するステップと、木質の第１柱部材（６）の上面から上方に延出するように、第１長尺材（５２）を前記第１柱部材に固定し、木質の第２柱部材（７）の下面から下方に延出するように、第２長尺材（５３）を前記第２柱部材に固定するステップと、前記第１長尺材が固定された前記第１柱部材を、前記柱を構築するべき位置に配置するステップと、前記接合体を、前記第１長尺材の上端側が前記貫通孔に挿通されるように、前記第１柱部材の前記上面に載置するステップと、前記下支持部の上面に木質の梁部材の端部を載置するステップと、前記梁部材の前記端部の上面を支持するように上支持部材を前記接合体に固定するステップと、前記第２長尺材の下端側が前記貫通孔に挿通されるように、前記第２柱部材を上方から下方に向かって移動させて前記接合体に載置するステップと、前記第１長尺材の前記上端側と前記第２長尺材の前記下端側との間に継手を形成するステップとを備えることを特徴とする。
【００２８】
この構成によれば、充填材の貫通孔への充填作業を柱を構築するべき箇所で行う必要があるが、第１長尺材の第１柱部材への接着作業と、第２長尺材の第２柱部材への接着作業とが、工場又は建築現場の作業用ヤード等で行えるため、柱の構築箇所における作業が減り、工期を短縮できる。また、梁部材の所定の位置への配置後に、上支持部材が接合体に取り付けられるため、梁部材は、少なくとも上方から下方に向けて移動させることにより所定の位置に配置できる。そのため、梁部材をその延在方向に沿って移動させて所定の位置に配置する場合に比べて、梁部材と接合体の配置の順序の制約が少ない。
【発明の効果】
【００２９】
本発明によれば、梁の損傷を防ぐことのできる木質の柱と木質の梁との接合構造を提供でき、その接合構造の施工性の構築方法を提供できる。
【図面の簡単な説明】
【００３０】
【図１】第１実施形態に係る接合構造を示す正面図
【図２】第１実施形態に係る接合構造を示す斜視図
【図３】第１実施形態に係る接合構造を示す正面図
【図４】地震時における梁を示す縦断面図（Ａ：比較例、Ｂ：第１実施形態）
【図５】第２実施形態に係る接合構造を示す斜視図
【図６】第２実施形態に係る接合構造を示す正面図
【図７】第３実施形態に係る接合構造を示す分解正面図
【発明を実施するための形態】
【００３１】
以下、図面を参照して本発明の実施形態について説明する。図１は第１実施形態に係る接合構造１を示す正面図である。接合構造１は、柱２と、梁３と、柱２及び梁３が接合する接合体４と、接合体４と協働して梁３の端部を支持する上支持部材５とを有する。
【００３２】
柱２は、木質の第１柱部材６と、第１柱部材６の上方に配置された木質の第２柱部材７とを備える。第１柱部材６及び第２柱部材７は、それぞれ、木材の繊維は概ね鉛直方向に延びている。木質材料は、集成材又は単板積層材等である。
【００３３】
梁３は、木質の梁部材８を備える。梁部材８は、木材の繊維は概ね梁部材８の延在方向に延びている。互いに隣り合う２本の柱２間に、１本の梁部材８が架け渡されている。
【００３４】
梁部材８には、緊張材１０によってプレストレスを加えることが好ましい。各々の梁部材８には、梁部材８の延在方向に沿って貫通する挿入孔９が設けられ、挿入孔９には緊張材１０が挿入されている。緊張材１０は、ＰＣ鋼棒、ＰＣ鋼線、ＰＣ鋼より線、又は、アラミド繊維、炭素繊維若しくはガラス繊維等の繊維強化プラスチック製の棒若しくはケーブル等を素材とする。クリープ等による緊張力減退の影響を減らすため、緊張材１０として弾性係数の小さな素材を採用することが好ましい。緊張材１０の端部は、定着具１１によって接合体４に定着される。緊張材１０は、梁部材８及び接合体４とボンドしてもよい。図１に示す例では、１本又は１束の緊張材１０によって、互いの延在方向に隣り合う２本の梁部材８にプレストレスを与えているが、１本又は１束の緊張材１０によって、１本の梁部材８、又は延在方向の中心線が互いに略一致する３本以上の梁部材８にプレストレスを与えてもよい。また、緊張材１０によって、梁部材８の全体ではなく端部にのみプレストレスを与えてもよい。また、挿入孔９は、直線状ではなく、湾曲していてもよい。
【００３５】
図２及び図３は、それぞれ、第２柱部材７を接合する前の接合構造１の斜視図、並びに、第２柱部材７及び梁部材８を接合する前の接合構造１の正面図である。図２及び図３に示すように、接合体４は、コンクリート造、好ましくは鉄筋コンクリート造であって、直方体形状の本体部１２と、本体部１２から側方に向かって突出する突出部１３とを含む。接合体４は、好ましくはプレキャストコンクリート部材である。接合体４は、第１柱部材６の上面に載置され、第２柱部材７は、接合体４の上面に載置される。平面視で、本体部１２の輪郭は、概ね第１柱部材６及び第２柱部材７の輪郭に一致する。図示するように、接合体４の下面及び上面は、それぞれ、第１柱部材６の上面及び第２柱部材７の下面に直接に当接するが、グラウト等の充填材（図示せず）を介して当接してもよい。
【００３６】
本体部１２は、上下方向に延在する複数の貫通孔１４を有する。各々の貫通孔１４内には、異形鉄筋等の鋼棒、形鋼等の鋼材又は繊維強化プラスチック製の棒等からなる長尺材１５が挿通されている。長尺材１５の下端部は、第１柱部材６の上面に設けられた第１有底孔１６に挿入され、エポキシ樹脂等の接着剤１７によって、第１柱部材６に固定され、長尺材１５の上端部は、第２柱部材７の下面に設けられた第２有底孔１８に挿入され、接着剤１７によって、第２柱部材７に固定されている。長尺材１５は、第１柱部材６及び第２柱部材７の間でせん断力及び曲げモーメントを伝達するように第１柱部材６及び第２柱部材７を連結する連結部を構成する。貫通孔１４には、グラウト等の充填材が充填され、接合体４は、第１柱部材６及び第２柱部材７と結合される。また、本体部１２は、緊張材１０が挿入される、水平方向に延在して挿入孔９に連通する緊張材用貫通孔１９を有する。
【００３７】
突出部１３は、接合される梁部材８に向かって本体部１２の側面から突出し、梁部材８の延在方向から見てコ字形状をなすように、下支持部２０と、梁部材８の幅方向に互いに対向する１対の側部支持部２１とを含む。下支持部２０及び１対の側部支持部２１の外面は、本体部１２の下面、及び接合される梁部材８の延在方向に平行な本体部１２の側面と面一であることが好ましい。突出部１３は、本体部１２における梁部材８が接合されるべき各々の面に設けられている。
【００３８】
下支持部２０は、下方から梁部材８の端部を支持する。また、接合体４には、上方から梁部材８の端部を支持する上支持部材５が取り付けられている。上支持部材５は、山形鋼（図２の右側の上支持部材５）等の形鋼又は平板等の鋼材や、直方体形状のプレキャストコンクリート部材（図２に左側の上支持部材５）によって構成され、梁部材８の幅方向に延在する。例えば、上支持部材５として、山形鋼を採用すると、山形鋼の一方の片が梁部材８の端部の上面に載置されるとともに１対の側部支持部２１の上方に配置され、他方の片が本体部１２に当接してボルト等の締結具２２によって固定される。下支持部２０及び上支持部材５が協働して、梁部材８の端部の上下方向への移動を規制する。なお、図２では、複数の突出部１３に対して、互いに異なる種類の上支持部材５を使用しているが、同種の上支持部材５を使用してもよい。また、上支持部材５は、本体部１２に代えて又は本体部１２とともに第２柱部材７に固定されてもよい。
【００３９】
１対の側部支持部２１間の距離は、梁部材８の幅以上である。１対の側部支持部２１と梁部材８との間に隙間がある場合は、グラウト等の充填材（図示せず）で充填することが好ましい。１対の側部支持部２１によって、梁部材８の端部が、梁部材８の幅方向に移動することが規制される。なお、突出部１３がコ字形状をなさず、側部支持部２１が下支持部２０から離間していてもよい。
【００４０】
次に、図１〜図３を参照して、接合構造１の構築方法について説明する。
【００４１】
まず、工場又は建築現場の作業用ヤードで、プレキャストコンクリート部材である接合体４を作成する。上支持部材５として、プレキャストコンクリート部材を用いる場合も、工場又は建築現場の作業用ヤードで作成する。
【００４２】
また、工場又は建築現場の作業用ヤードで、第１柱部材６、第２柱部材７及び梁部材８を加工する。第１柱部材６の上面に第１有底孔１６を設け、第１有底孔１６に長尺材１５の下端側を挿入して接着剤１７を注入することにより、第１柱部材６と長尺材１５とを互いに固定する。また、第２柱部材７の下面に第２有底孔１８を設ける。また、梁部材８の材料をその中心軸を通る鉛直面で切断し、切断された２つの部材を再び合わせたときに、挿入孔９が形成されるように、切断面を切削し、その後、２つの部材を切断面で接着して梁部材８とする。
【００４３】
次に、長尺材１５が固定された第１柱部材６を、柱２を構築するべき位置に配置する。
【００４４】
次に、接合体４を、長尺材１５が貫通孔１４に差し込まれるように、上方から下方に向けて移動させ、第１柱部材６の上面に載置する。その後、充填材を貫通孔１４に充填する。
【００４５】
次に、梁部材８を、端部がコ字形状の突出部１３に挿入されるように、上方から下方に向けて移動させ、下支持部２０の上面に載置する。
【００４６】
次に、上支持部材５を、梁部材８の端部の上面を支持するように接合体４に固定する。上支持部材５は、締結具２２等によって接合体４に固定される。緊張材１０を、梁部材８の挿入孔９及び接合体４の緊張材用貫通孔１９に挿入し、緊張材１０の両端部を定着具１１で定着して、梁部材８にプレストレスを導入する。上支持部材５の固定と、プレストレスの導入とは、どちらを先に行ってもよい。
【００４７】
次に、第２柱部材７を、長尺材１５の上端側が第２有底孔１８に挿入されるように、上方から下方に向けて移動させ、接合体４の上面に載置する。
【００４８】
次に、第２有底孔１８に接着剤１７を注入して、第１柱部材６及び第２柱部材７の間で、せん断力や曲げモーメントが伝達されるようにする。
【００４９】
長尺材１５の下端側及び上端側は、それぞれ、接着剤１７によって第１柱部材６及び第２柱部材７に固定され、柱２が構築される箇所において、接着作業が行われるのは長尺材１５の上端側だけである。このため、構築箇所における作業が減り、工期を短縮できる。
【００５０】
また、もし、梁部材８をその延在方向に沿って移動させて突出部１３に載置する必要があると、梁部材８に対して一端側の接合体４を構築した後、梁部材８配置し、その後、梁部材８に対して他端側の接合体４を構築する必要があり、接合体４及び梁部材８の取り付け順序の制限が多くなる。本実施形態では、梁部材８は、突出部１３の上側が開放されているため、上方から接合体４に取り付けることができる。このため、梁部材８は、その両端側の接合体４を構築した後に取り付ければよく、接合体４及び梁部材８の取り付け順序の制限が少ない。
【００５１】
下支持部２０及び上支持部材５が協働して、梁部材８の端部を上下方向から挟持する。図４（Ａ）は比較例に係る接合構造６１の地震時の様子を示し、図４（Ｂ）は第１実施形態に係る接合構造１の地震時の様子を示す。比較例の接合構造６１は、接合体６２に突出部１３が設けられておらず、上支持部材５も設けられていない。このため、梁部材８の端部が上下方向に挟持されておらず、地震時に、梁部材８の端部に延在方向に沿った割れが生じやすい。ここで、梁部材８の端部が地震によって上下に揺れると、揺れるたびに、接合体６２と梁部材８の端面との互いの当接位置が上下の何れか一方にずれ、梁部材８の端部が上下の何れか一方に移動させる力が加わる。一方、第１実施形態に係る接合構造１では、図４（Ｂ）に示すように、梁部材８の端部は、下支持部２０及び上支持部材５によって上下から挟持されているため、割れが生じ難く、上下への移動も規制される。
【００５２】
柱２と梁３との接合部が木質材料だと、木質材料の直交異方性により、梁部材８に導入されるプレストレスによって接合部が破壊するおそれがある。しかし、接合体４をコンクリート造とすることにより、梁部材８と接合体４との間に大きな圧力が加わるようにプレストレスを与えても、接合体４は破壊しない。そのため、緊張材１０によるプレストレスを大きくでき、梁部材８と接合体４との互いの接合をモーメント抵抗接合とすることができる。梁部材８を接合体４に高い圧力で押し付けることにより、梁部材８が接合体４から離間するまで接合構造１の剛性を確保でき、また、離間後の接合構造１の曲げ耐力を増大させることができ、ラーメン架構としての剛性及び耐力が増大する。また、接合構造１の剛性が大きくなるため、架構全体の剛性を増大させることができる。更に、梁部材８の端部の柔らかい層は、プレストレスの導入段階で接合体４から圧力を受けてつぶれるため、より確実な剛接合とすることが可能となる。
【００５３】
接合構造１によって、梁３のスパンを比較的大きくでき、広く開放的な空間を作ることができる。また、木質建物の剛性及び耐力が増大するため、木材の利用可能範囲が広がり、再生可能資源である木材、特に木質材料の利用促進に貢献する。また、木材は、コンクリートや鉄骨に比べて軽いため、建物の自重を低減させることができる。
【００５４】
緊張材１０は、ジャッキで張力を導入できるため、トルクによって張力を導入する場合に比べて張力の管理が容易である。
【００５５】
接合体４がコンクリート造であるため、大地震時においても接合構造１は弾性を保ち、アンボンドプレストレスによるリセンタリング機能により、地震終了後の残留変形が小さくなる。また、接合体４がコンクリート造であるため、梁部材８の端部を含め加工手間等が低減される。
【００５６】
次に、図５及び図６を参照して、第２実施形態に係る接合構造３１について説明する。第２実施形態に係る接合構造３１は、接合体３２が鋼製である点で、第１実施形態と相違する。説明に当たって、第１の実施形態と共通する構成は、その説明を省略し同一の符号を付す。図５は、梁部材８及び第２柱部材７が取り付けられる前の接合構造３１の斜視図であり、図６は、第２柱部材７が取り付けられる前の接合構造３１の正面図である。
【００５７】
接合体３２は、第１柱部材６の上端に載置され、平面視で矩形をなす平板状の第１鋼板３３と、上下に開口して、下端において第１鋼板３３の上面に固定され、平面視で矩形の環状をなす鋼製の筒状部材３４と、下面において筒状部材３４の上端に固定されて、上面に第２柱部材７が載置される平面視で矩形をなす平板状の第２鋼板３５と、第１鋼板３３の下面及び第２鋼板３５の上面に固定される鋼製のプレート枠組３６と、梁部材８の幅方向に直交するように配置されて、第１鋼板３３の上面及び筒状部材３４の外側面に固定されて、梁部材８の端部に埋設された、梁部材８の幅方向から見て直角三角形等をなす平板状の第３鋼板３７とを含む。
【００５８】
平面視で、筒状部材３４の外輪郭は、第１柱部材６及び第２柱部材７の外輪郭に略一致する。第１鋼板３３は、梁部材８が接合される側において、筒状部材３４よりも側方に突出して、下支持部３８を形成している。下支持部３８及び上支持部材５が協働して梁部材８の端部を上下に挟持する。
【００５９】
第１鋼板３３及び第２鋼板３５は、それぞれ、互いに上下に整合する位置に配置された貫通孔３９を含む。貫通孔３９は、筒状部材３４の側壁よりも内側に配置されており、長尺材１５の中間部は、貫通孔３９及び筒状部材３４の内部に挿通されている。貫通孔３９及び筒状部材３４の内部には、充填材を充填しなくともよい。
【００６０】
筒状部材３４の側壁には、梁部材８の延在方向において、挿入孔９に整合する位置に緊張材用貫通孔４０が設けられている。筒状部材３４の高さは、概ね、梁部材８の高さに等しい。
【００６１】
梁部材８の端部には、第３鋼板３７を嵌合する溝（図示せず）が設けられおり、第３鋼板３７は第１鋼板３３の下支持部３８を補強するとともに、梁部材８の幅方向への移動を規制する。図示する例では、第３鋼板３７は、梁部材８の幅方向に対向するように１対設けられているが、１つでもよく、３つ以上設けられてもよい。また、第３鋼板３７は、第１鋼板３３の上面と筒状部材３４の外側面との何れか一方にのみ固定されてもよい。また、１対の第３鋼板３７は、梁部材８の端部に埋設されるのではなく、梁部材８の側面に当接してもよく、埋設又は当接等の係合により、梁部材８の幅方向への移動を規制する。
【００６２】
プレート枠組３６は、上下方向に平行な鋼板を組み合わせて形成される。第１鋼板３３の下面に固定されるプレート枠組３６は、第１柱部材６の上端部を嵌合するように固定する。第２鋼板３５の上面に固定されるプレート枠組３６は、第２鋼板３５の側縁に沿って設けられる。第２鋼板３５の上面に固定されたプレート枠組３６に対して、上支持部材５が締結具２２によって固定されるとともに、その内部に第２柱部材７の下端部が受容される。第２鋼板３５の上面に固定されたプレート枠組３６と第２柱部材７の下端部とに間隙があれば、その間隙はグラウト等で充填されることが好ましい。第２鋼板３５の厚さとプレート枠組３６の高さとの合計が、概ね、上支持部材５の高さに等しい。
【００６３】
接合構造３１の構築方法について説明する。
【００６４】
工場又は建築現場の作業ヤードで、接合体３２を構成する鋼材が互いに溶接等によって固定され、また、第１柱部材６、第２柱部材７及び梁部材８が加工される。第１実施形態と同様に、長尺材１５が第１柱部材６に固定される。
【００６５】
次に、長尺材１５が固定された第１柱部材６を、柱２を構築するべき位置に配置し、接合体３２を、長尺材１５が第１鋼板３３及び第２鋼板３５の貫通孔３９に差し込まれるように、上方から下方に向けて移動させ、第１柱部材６の上面に載置する。
【００６６】
次に、梁部材８を、上方から下方に向けて移動させて、下支持部３８の上面に載置する。第２鋼板３５は、筒状部材３４との溶接代を取るため、筒状部材３４よりも側方にわずかに突出しており、かつ梁部材８が、互いに隣り合う２つの接合体３２の第２鋼板３５の間を通過できる長さになっているため、梁部材８の端面と筒状部材３４の外側面との間に隙間が生じる。この隙間はグラウト等の充填材４１によって充填される。なお、充填材４１内において緊張材１０（図１参照）を挿通するための挿入孔９及び緊張材用貫通孔４０に整合する孔を設けるため、シース４２等を配置する。
【００６７】
次に、上支持部材５を、梁部材８の端部の上面を支持するように接合体３２のプレート枠組３６に締結具２２によって固定する。緊張材１０（図１参照）を、梁部材８の挿入孔９及び接合体３２の緊張材用貫通孔４０に挿入し、緊張材１０の両端部を定着具１１（図１参照）で定着して、梁部材８にプレストレスを導入する。上支持部材５の固定と、プレストレスの導入とは、どちらを先に行ってもよい。
【００６８】
次に、第２柱部材７を、長尺材１５の上端側が第２有底孔１８に挿入されるように、上方から下方に向けて移動させ、下端部がプレート枠組３６に嵌合するように、第２鋼板３５の上面に載置する。
【００６９】
次に、第１実施形態と同様に、第２有底孔１８に接着剤１７を注入して、第１柱部材６及び第２柱部材７の間で、せん断力や曲げモーメントが伝達されるようにする。
【００７０】
第２実施形態に係る接合構造３１は、第１実施形態と同様に、構築箇所における長尺材１５の接着作業が上端側だけであることによる工期の短縮、梁部材８を横方向に又は上方から下方に移動させて接合体３２間に配置できることによる接合体３２及び梁部材８の取り付け順序の制限の少なさ、及び、下支持部３８と上支持部材５との挟持による梁部材８の端部の割れの防止や上下移動の規制という作用効果を有する。
【００７１】
また、接合体３２が、木質材料ではなく鋼製であることによって、コンクリート造の接合体４を備える第１実施形態と同様に、梁部材８に導入するプレストレスを大きくでき、梁部材８のスパンを比較的大きくでき、梁部材８と接合体４との互いの接合をモーメント抵抗接合とすることができ、ラーメン架構としての剛性及び耐力が増大し、架構全体の剛性を増大させ、確実な剛接合とすることができ、地震終了後の残留変形が小さくなり、梁部材８の端部を含め加工手間等が低減される。
【００７２】
次に、図７を参照して、第３実施形態に係る接合構造５１について説明する。第３実施形態に係る接合構造５１は、主に、長尺材１５（図３参照）に代えて、互いに継がれる第１長尺材５２及び第２長尺材５３が用いられる点で第１実施形態と相違する。説明に当たって、第１の実施形態と共通する構成は、その説明を省略し同一の符号を付す。図７は、接合構造５１の分解正面図である。
【００７３】
第１長尺材５２は、下端側において第１柱部材６に接着剤１７（図３参照）によって固定され、第２長尺材５３は、上端側において第２柱部材７に接着剤１７（図３参照）によって固定されている。第１長尺材５２及び第２長尺材５３は、異形鉄筋等の鋼棒、形鋼等の鋼材又は繊維強化プラスチック製の棒等からなる。
【００７４】
接合体４の本体部１２は、上下方向に延在する複数の貫通孔５４を有する。各々の貫通孔５４内には、第１長尺材５２の上端側及び第２長尺材５３の下端側に挿通される。貫通孔５４の下側部分には、拡幅されて機械式継手のため鋼管等の継手器具５９が埋め込まれており、第１長尺材５２の上端側及び第２長尺材５３の下端側が、互いに機械式継手によって継がれている。貫通孔５４には、グラウト等の充填材５５が充填される。本体部１２の側面には、充填材５５を充填するために使用される注入孔５６が、下端近傍に貫通孔５４に連通するように設けられ、充填材５５を排出するための排出孔５７が上端近傍に貫通孔５４に連通するように設けられている。注入孔５６及び排出孔５７は、略水平方向に延在している。
【００７５】
下端側が第１柱部材６に固定された第１長尺材５２の上端側と、上端側が第２柱部材７に固定された第２長尺材５３とが互いに継がれることによって、第１柱部材６及び第２柱部材７の間でせん断力及び曲げモーメントを伝達するように第１柱部材６及び第２柱部材７を連結する連結部５８が構成される。
【００７６】
次に、図１及び図７を参照して、接合構造５１の構築方法における第１実施形態と相違する部分について説明する。
【００７７】
建築現場の作業用ヤード又は工場で、第１柱部材６の上面に第１有底孔１６（図３参照）を設け、第１有底孔１６に第１長尺材５２の下端側を挿入して接着剤１７（図３参照）を注入することにより、第１柱部材６と第１長尺材５２とを互いに固定する。また、第２柱部材７の下面に第２有底孔１８（図３参照）を設け、第２有底孔１８に第２長尺材５３の上端側を挿入して接着剤１７（図３参照）を注入することにより、第２柱部材７と第２長尺材５３とを互いに固定する。
【００７８】
次に、第１長尺材５２が固定された第１柱部材６を、柱２を構築するべき位置に配置し、更に、接合体４を、第１長尺材５２が貫通孔５４及び継手器具５９に差し込まれるように、上方から下方に向けて移動させ、第１柱部材６の上面に載置する。
【００７９】
梁部材８、上支持部材５及び緊張材１０を第１実施形態と同様に取り付けた後、第２柱部材７を、第２長尺材５３の下端側が貫通孔５４及び継手器具５９に差し込まれるように、上方から下方に向けて移動させ、接合体４の上面に載置する。この時、継手器具５９内では、第１長尺材５２の上端と第２長尺材５３の下端とが互いに当接又は近接するように配置される。
【００８０】
次に、貫通孔５４に充填材５５を充填するため、注入孔５６から充填材５５を注入する。排出孔５７から充填材５５が排出され始めたら、充填材５５の注入を終了する。
【００８１】
充填材５５の充填作業は柱２が構築される箇所で行われるが、第１長尺材５２の第１柱部材６への接着作業と、第２長尺材５３の第２柱部材７への接着作業とが、工場又は建築現場の作業用ヤードで行われるため、柱２の構築箇所における作業が減り、工期を短縮できる。第３実施形態に係る接合構造５１において第１実施形態と同様の構造を有する部分は、第１実施形態におけるその部分と同様の作用効果を奏する。
【００８２】
以上で具体的実施形態の説明を終えるが、本発明は上記実施形態に限定されることなく幅広く変形実施することができる。第３実施形態の連結部の構造を第２実施形態に適用してもよい。
【符号の説明】
【００８３】
１，３１，５１：接合構造
４，３２：接合体
５：上支持部材
６：第１柱部材
７：第２柱部材
８：梁部材
９： 挿入孔
１０：緊張材
１２：本体部
１３：突出部
１４，３９，５４：貫通孔
１５：長尺材（連結部）
１７：接着剤
１８：第２有底孔（有底孔）
２０，３８：下支持部
２１：側部支持部
３３：第１鋼板
３４：筒状部材
３５：第２鋼板
３６：プレート枠組
３７：第３鋼板
５２：第１長尺材
５３：第２長尺材
５５：充填材
５８：連結部
【図１】
2020183694.tif 000003
【図２】
2020183694.tif 000004
【図３】
2020183694.tif 000005
【図４】
2020183694.tif 000006
【図５】
2020183694.tif 000007
【図６】
2020183694.tif 000008
【図７】
2020183694.tif 000009